(57)【要約】【課題】施工現場における戸パネルの吊り込みや、ランナーの分離を少ない手間で簡便に行える吊戸用のランナーを提供する。【解決手段】ランナー４が、戸パネル１に装着固定される保持ケース１３と、保持ケース１３に差し込み装填されるランナー台１２と、ランナー本体１０などで構成されている。ランナー台１２と保持ケース１３との間にはロック機構を設ける。そのロック機構は、保持ケース１３に形成したロック溝４２と、ランナー台１２で上下動自在に支持されてロック溝４２に係脱できるロック体４７と、ロック体４７を係合付勢するロックばね４９と、ロック体４７をロック解除操作する解除レバー４８とを含む。解除レバー４８は、Ｌ字状に連続する操作腕５１と基部５２とを一体に備えており、ロック解除姿勢に切り換えた状態において、操作腕５１がほぼ水平姿勢でランナー台１２の側方へ突出し、その状態がロックばね４９で姿勢保持される。【選択図】図１
2006169720.tif 000002
【特許請求の範囲】
【請求項１】
ガイドレール（２）で移行案内されるランナー本体（１０）と、ランナー本体（１０）に吊軸（１１）を介して連結されるランナー台（１２）と、戸パネル（１）の上隅に装着固定される保持ケース（１３）とを含み、ランナー台（１２）を保持ケース（１３）に横側方から差し込み装填することにより戸パネル（１）を吊り込むことができる吊戸用のランナーであって、
ランナー台（１２）と保持ケース（１３）との間に、保持ケース（１３）に差し込み装填したランナー台（１２）を分離不能に係合保持するロック機構が設けられており、
ロック機構が、保持ケース（１３）の前後壁に形成したロック溝（４２）と、ランナー台（１２）で往復変位自在に支持されてロック溝（４２）に係脱できるロック体（４７）と、ロック体（４７）を係合付勢するロックばね（４９）と、ロックばね（４９）の付勢力に抗してロック体（４７）をロック解除操作する解除レバー（４８）とを含み、
解除レバー（４８）は、ロック体（４７）がロック溝（４２）と係合する待機姿勢と、ロック体（４７）がロック溝（４２）から離脱するロック解除姿勢とに切り換え操作でき、
ロック解除姿勢に切り換えた解除レバー（４８）をロックばね（４９）で姿勢保持できることを特徴とする吊戸用のランナー。
【請求項２】
解除レバー（４８）が、Ｌ字状に連続する操作腕（５１）と基部（５２）とを一体に備えており、
解除レバー（４８）の基部（５２）に、ロック溝（４２）と係脱するピン状のロック体（４７）が固定されており、
基部（５２）の周面に、待機姿勢とロック解除姿勢においてロックばね（４９）を受け止める２個のばね座（５３・５４）がほぼ直交する状態で形成されており、
解除レバー（４８）をロック解除姿勢に切り換えた状態において、操作腕（５１）がほぼ水平姿勢でランナー台（１２）の側方へ突出する請求項１記載の吊戸用のランナー。
【請求項３】
金属ピンからなるロック体（４７）が、ランナー台（１２）に設けた上下方向の逃げ溝（２５）で上下スライド自在に案内支持されており、
解除レバー（４８）が、ロック体（４７）のスライド変位を伴いながら、待機姿勢とロック解除姿勢との間を傾動変位できる請求項１または２記載の吊戸用のランナー。
【請求項４】
保持ケース（１３）の内面に、ランナー台（１２）の前後周面に凹み形成した嵌合溝（２７）と係合する嵌合リブ（４０）が形成されており、
嵌合リブ（４０）の開口始端側に、ロック体（４７）をロックばね（４９）の付勢力に抗して移動案内するガイド面（４１）が設けられており、
嵌合リブ（４０）の中途部に、ロック体（４７）と係合するロック溝（４２）が形成してある請求項１または２または３記載の吊戸用のランナー。
【請求項５】
ランナー台（１２）の内部に、ランナー本体（１０）とランナー台（１２）との上下間隔を調整する高さ調整機構と、吊軸（１１）のランナー台（１２）に対する前後位置を調整する前後調整機構とが設けられている請求項１から４のいずれかに記載の吊戸用のランナー。
【発明の詳細な説明】
【技術分野】
【０００１】
本発明は、折戸や引戸に適用されるランナー、なかでもランナー台を予め戸パネルに締結した保持ケースに対して差し込み装着するだけで、ランナー本体およびランナー台を戸パネルに対して抜け外れ不能に固定できる形態のランナーに関する。
【背景技術】
【０００２】
この種のランナー構造は特許文献１に公知である。そこでは、ガイドレールで移行案内されるランナー本体と、戸パネルの上隅に埋設固定される保持ケースと、保持ケースに差し込み装着されるランナー台とでランナーを構成し、ランナー台と保持ケースとの間に、ランナー台をロック保持するロック機構が設けられている。ロック機構は、保持ケースの前後壁に形成されるロック溝と、ランナー台で上下動自在に支持されてロック溝に対して係脱するロック体と、ロックばねおよび解除レバーなどで構成してある。
【０００３】
【特許文献１】特開２００４−７６４３１号公報（段落番号００２２、図１）
【発明の開示】
【発明が解決しようとする課題】
【０００４】
上記のランナー構造によれば、解除レバーのロック解除動作を利用してランナー台を保持ケースから強制的に抜き出し操作するので、ランナー台と保持ケースとの分離を簡便に行える。しかし、解除レバーをロック解除した後に解除操作力を開放すると、ロック体がロック溝と再係合することはないものの、ロック体および解除レバーがロックバネに押し戻されて待機姿勢に復帰してしまう。そのため、ランナー台をつかむか、再度解除レバーを操作して戸パネルから抜き出す必要があり、その分だけランナー台の分離に余分な手間が掛かる。解除レバーをロックばねの付勢力に逆らって、斜めに傾くロック解除姿勢に保持した状態でランナー台を抜き出す必要があるので、ランナー台に分離方向以外に力が加わるのを避けられず、ランナー台の分離に手間取ることがある。
【０００５】
本発明の目的は、戸パネルに対する組み付け、および取り外しが簡単に行え、施工現場における戸パネルの吊り込みや、ランナーの分離を少ない手間で簡便に行える吊戸用のランナーを提供することにある。本発明の目的は、解除レバーをロック解除状態に切り換えると、その状態を自己保持でき、したがって解除レバーをつかんで引っ張り操作することにより、ランナー台をロックばねのばね力に邪魔されることもなく簡便に分離操作できる吊戸用のランナーを提供することにある。
【課題を解決するための手段】
【０００６】
本発明のランナーは、ガイドレール２で移行案内されるランナー本体１０と、ランナー本体１０に吊軸１１を介して連結されるランナー台１２と、戸パネル１の上隅に装着固定される保持ケース１３とを含み、ランナー台１２を保持ケース１３に横側方から差し込み装填することにより戸パネル１を吊り込むことができる。ランナー台１２と保持ケース１３との間には、保持ケース１３に差し込み装填したランナー台１２を分離不能に係合保持するロック機構が設けられている。ロック機構は、保持ケース１３の前後壁に形成したロック溝４２と、ランナー台１２で往復変位自在に支持されてロック溝４２と係脱できるロック体４７と、ロック体４７を係合付勢するロックばね４９と、ロックばね４９の付勢力に抗してロック体４７をロック解除操作する解除レバー４８とを含む。解除レバー４８は、ロック体４７がロック溝４２に係合する待機姿勢と、ロック体４７がロック溝４２から離脱するロック解除姿勢とに切り換え操作でき、ロック解除姿勢に切り換えた解除レバー４８をロックばね４９で姿勢保持できることを特徴とする。
【０００７】
解除レバー４８は、Ｌ字状に連続する操作腕５１と基部５２とを一体に備えており、解除レバー４８の基部５２に、ロック溝４２と係脱するピン状のロック体４７を固定する。基部５２の周面には、待機姿勢とロック解除姿勢においてロックばね４９を受け止める２個のばね座５３・５４をほぼ直交する状態で形成し、解除レバー４８をロック解除姿勢に切り換えた状態において、操作腕５１をほぼ水平姿勢でランナー台１２の側方へ突出させる。
【０００８】
金属ピンからなるロック体４７が、ランナー台１２に設けた上下方向の逃げ溝２５で上下スライド自在に案内支持されており、解除レバー４８が、ロック体４７のスライド変位を伴いながら、待機姿勢とロック解除姿勢との間を傾動変位できる。
【０００９】
保持ケース１３の内面には、ランナー台１２の前後周面に凹み形成した嵌合溝２７と係合する嵌合リブ４０を形成し、嵌合リブ４０の開口始端側に、ロック体４７をロックばね４９の付勢力に抗して移動案内するガイド面４１を設け、嵌合リブ４０の中途部に、ロック体４７と係合するロック溝４２を形成することができる。
【００１０】
ランナー台１２の内部には、ランナー本体１０とランナー台１２との上下間隔を調整する高さ調整機構と、吊軸１１のランナー台１２に対する前後位置を調整する前後調整機構とが設けられている。
【発明の効果】
【００１１】
本発明では、ランナー台１２と保持ケース１３との間に設けられるロック機構が、保持ケース１３の側に設けられるロック溝４２と、ロック溝４２に係脱できるロック体４７と、ロックばね４９およびロック体４７をロック解除操作する解除レバー４８などで構成されているので、従来のこの種ランナーと同様に、ランナー台１２を保持ケース１３に対して横側方から単に差し込み装着するだけで、ランナー４と戸パネル１とを簡便に係合連結できる。さらに、ロック解除操作した解除レバー４８は、ロックばね４９でロック解除姿勢のまま姿勢保持できるようにしたので、解除レバー４８をつかんで引っ張り操作することにより、ランナー台１２を保持ケース１３から簡便に、しかもロックばね４９のばね力に邪魔されることもなく円滑に分離操作でき、全体として、施工現場における戸パネル１の吊り込みや、ランナー４の分離作業が少ない手間で簡便に行える。
【００１２】
Ｌ字状に連続する操作腕５１と基部５２とで解除レバー４８を構成し、基部５２にロック溝４２と係脱するピン状のロック体４７が固定してあると、ロック体４７を解除レバー４８で直接的に変位操作して、ロック体４７をロック溝４２に対して係脱できるので、ロック状態とロック解除状態との切り換えをより確実に行える。例えば、ロック体がスライドピースに固定されていて、解除レバーがスライドピースを介してロック体を間接的に変位操作するような場合には、スライドピースのがたつきや、解除レバーとスライドピースの位置のばらつきなどによって、ロック体とロック溝との係脱を円滑に行えないことがある。
【００１３】
操作腕５１の基部５２の周面に２個のばね座５３・５４が、ほぼ直交する状態で形成されていると、待機姿勢あるいはロック解除姿勢に切り換えた解除レバー４８を安定した状態で姿勢保持できるうえ、待機姿勢において起立していた操作腕５１を、ロック解除姿勢に切り換えたときほぼ水平姿勢でランナー台１２の側方へ突出できる。このように操作腕５１がランナー台１２の抜き出し方向とほぼ平行に突出していると、操作腕５１をつかんで抜き出し操作する際に、ランナー台１２に対して分離方向に沿った操作力を効果的に作用させることができ、ランナー台１２を保持ケース１３からより小さな力で簡便に取り外し操作できる。
【００１４】
ロック体４７をランナー台１２に設けた逃げ溝２５で上下スライド自在に案内支持し、解除レバー４８がロック体４７のスライド変位を伴いながら傾動することで、待機姿勢あるいはロック解除姿勢に切り換わるようにしたロック機構によれば、姿勢切り換え時に解除レバー４８が占める空間を最小限化できる。例えば、解除レバー４８がロック体４７を揺動中心にして単に揺動変位する場合には、ロック体４７まわりに解除レバー４８の揺動を許す大きな空間を確保する必要があるが、先のようにロック体４７をスライド変位しながら解除レバー４８を傾動させると、ロック体４７がスライド変位する分だけ解除レバー４８の傾動領域を小さくでき、その分だけランナー台１２が小形でコンパクトな構成になる。
【００１５】
ランナー台１２と保持ケース１３とが、両者１２・１３の嵌合面に設けた嵌合溝２７および嵌合リブ４０を介して係合連結されていると、ランナー台１２と保持ケース１３とが上下方向にがた付くのを確実に防止して、戸パネル１を開閉するときの騒音量を小さくできる。嵌合リブ４０の開口始端側にガイド面４１とロック溝４２を設けてあると、嵌合溝２７と嵌合リブ４０との嵌合によって、正しく位置決めされた状態下でランナー台１２を保持ケース１３に装填できる。しかも、装填動作を利用してロック体４７をガイド面４１ですくい上げ案内し、ロック溝４２に落とし込み係合できるので、ランナー台１２の保持ケース１３に対する装着が円滑にしかも確実に行える。
【００１６】
ランナー台１２の内部に、高さ調整機構と前後調整機構が設けてあるランナー４によれば、両調整機構によってランナー本体１０とランナー台１２との上下間隔を変更調整し、あるいは吊軸１１のランナー台１２に対する前後位置を変更調整できるので、施工時はもちろんのこと、戸パネル１が反り変形した場合など、必要に応じて戸パネル１の位置を容易に修正できる。
【発明を実施するための最良の形態】
【００１７】
（実施例）  図１ないし図８は本発明を引戸に適用した実施例を示す。図２において引戸は、左右一対の戸パネル１・１が、ガイドレール２で引き違い開閉可能に案内支持されており、各戸パネル１・１の上面左右に、ランナー４を設けてある。符号３は各戸パネル１・１の下端面に形成したスライド溝、５は床面に固定されてスライド溝と係合する振止めピン、６は把手である。
【００１８】
図３においてランナー４は、ガイドレール２で移行案内されるランナー本体１０と、ランナー本体１０に吊軸１１を介して連結されるランナー台１２と、戸パネル１の上隅に装着固定される保持ケース１３とを含む。ガイドレール２は、下向きに開口する断面コ字状のアルミニウム条材からなり、その前後壁の下端内面のそれぞれに下凹み円弧状のレール壁２ａを突設してある（図５参照）。
【００１９】
ランナー本体１０は、矩形状の軸受ブロック１６と、軸受ブロック１６の前後に配置される２個のローラー１７と、ローラー１７を遊転自在に軸支するローラー軸１８とからなる。軸受ブロック１６には、帯板状の吊軸１１が下面側から差し込み装着されており、吊軸１１とローラー軸１８とは、互いに交差する状態で係合連結されている。したがって、軸受ブロック１６と吊軸１１とは相対回転できない。
【００２０】
ランナー台１２は、前後厚みが小さな角ブロック状のプラスチック成形品からなり、その内部に高さ調整機構を収容する第１区室２１と、吊軸１１を収容する第２区室２２と、後述する解除レバー４８およびロックばね４９を収容する第３区室２３とが形成してある。第１区室２１は下向きに開口しており、その上部からランナー台１２の上端にわたって第２区室２２が上下貫通状に形成してある。第２区室２２の側方に設けられる第３区室２３は、ランナー台１２の外側面および上面で開口している。
【００２１】
第２区室２２に臨むランナー台１２の前後壁には、上下方向に長い逃げ溝２４が貫通形成してある（図８参照）。同様に、第３区室２３に臨むランナー台１２の前後壁には、上下方向に長い逃げ溝２５が貫通形成されている。前者の逃げ溝２４は前後調整用のねじ軸３７の上下移動を許し、後者の逃げ溝２５はロック体４７の上下移動を許すために設けてある。図５において第１区室２１の内面前後壁には、調整ピン３３の上下移動を許すガイド溝２６を凹み形成してある。後者の逃げ溝２５に臨むランナー台１２の前後壁には、左右方向の嵌合溝２７が凹み形成されている。
【００２２】
図６において高さ調整機構は、横断面がコ字状の調整金具３０と、調整金具３０を左右方向へ移動操作する調整ねじ３１と、調整ねじ３１を回転のみ自在に保持する止金具３２と、調整金具３０と吊軸１１とを連結する調整ピン３３などで構成されている。調整金具３０の前後壁には、斜めに傾くカム溝３４を形成してある。調整ピン３３はカム溝３４およびガイド溝２６に同時に係合する。
【００２３】
調整ねじ３１を回転操作すると、調整金具３０が左右いずれかへ移動する。しかし調整ピン３３はガイド溝２６によって左右移動が規制されているので、ガイド溝２６との係合位置を保持したままで、カム溝３４の移動に伴う縦方向成分の分だけ上下いずれかへ移動し、その結果、ランナー本体１０とランナー台１２との上下間隔を調整できる。
【００２４】
吊軸１１のランナー台１２に対する前後位置を調整するために、両者間に前後調整機構を設けてある。図５において前後調整機構は、先の逃げ溝２４に挿通されるねじ軸３７と、ねじ軸３７をねじ込むために吊軸１１に設けたねじ穴３８とからなり、ねじ軸３７をねじ込み操作することにより、吊軸１１を第２区室２２内において前後へ調整移動できる。ねじ軸３７は、その一端に設けた操作頭部３７ａと、他端にかしめ固定した座金３７ｂとでランナー台１２に止め付けてあり、したがって前後調整時にねじ軸３７が前後移動することはない。なお、前後調整を行うときは、ランナー台１２を保持ケース１３から分離する必要がある。
【００２５】
図４において保持ケース１３は、側面および上面が開口する断面Ｕ字状のダイキャスト成形品からなり、内面の前後壁にランナー台１２の嵌合溝２７と嵌合する嵌合リブ４０が突設されており、その開口始端寄りにロック体４７をすくい上げ案内するガイド面４１が形成されている。ガイド面４１に隣接する嵌合リブ４０の中途部には、ロック体４７を落とし込み係合するためのロック溝４２が形成されている。図１において保持ケース１３は、戸パネル１の側端上部に掘込み形成した装着穴４３に横側方から差し込み装着されて、その内奥壁の上下２箇所がビス４４で締結固定される。
【００２６】
保持ケース１３にランナー台１２を横側方から差し込み装填することにより、ランナー台１２を保持ケース１３と一体化できる。ランナー台１２を分離不能に係合保持するために、前記両者１２・１３間にはロック機構が設けられている。図６ないし図８においてロック機構は、先に説明したロック溝４２と、ロック溝４２に落とし込み係合するロック体４７と、ロック体４７をロック解除操作する解除レバー４８と、解除レバー４８を介してロック体４７を係合付勢する圧縮コイル形のロックばね４９などで構成されている。
【００２７】
解除レバー４８は、Ｌ字状に連続する操作腕５１と基部５２とを一体に備えたプラスチック成形品であり、その基部５２に金属ピンからなるロック体４７を前後貫通状に固定してある。基部５２の周面には、２個のばね座５３・５４が直交する状態で形成されている。解除レバー４８を待機姿勢とロック解除姿勢に切り換えた状態においては、ロックばね４９の下端が各ばね座５３・５４で受け止められる。操作腕５１の上端左右には、滑り止め用の摘み５５が張り出し形成されている。
【００２８】
解除レバー４８はロックばね４９と共に第３区室２３内に収容されており、その状態でロック体４７を逃げ溝２５を介して基部５２に打ち込むことにより、ランナー台１２に組み付けられる。このように、ロック体４７と逃げ溝２５を介して解除レバー４８をランナー台１２に組むことにより、解除レバー４８は、図６に示すように操作腕５１が起立する待機姿勢と、図７に示すように操作腕５１がほぼ水平姿勢でランナー台１２の側外方へ突出するロック解除姿勢とに姿勢変更でき、各姿勢をロックばね４９の付勢力で維持することができる。
【００２９】
解除レバー４８の姿勢変化は、基本的にロック体４７を揺動中心とする揺動動作であるが、より厳密にはロック体４７が逃げ溝２５に沿ってスライドしながら傾動する点に特長がある。詳しくは、図６の想像線で示すように、操作腕５１と基部５２との隣接隅部が第３区室２３の底壁と接当した後は、解除レバー４８の全体が隣接隅部を支点にして傾動し、ロック体４７が逃げ溝に沿って上方移動することで解除レバー４８の姿勢変化を吸収する。したがって、解除レバー４８がロック体４７を揺動中心にして単に揺動変位する場合に比べると、第３区室２３の内部において解除レバー４８が占める空間を最小限化して、ランナー台１２を小形でコンパクトに構成できる。
【００３０】
戸パネル１を吊り込む場合には、図３に示すごとくガイドレール２にランナー本体１０を組み込み、さらに戸パネル１の装着穴４３に保持ケース１３を締結固定する。次に、振止めピン５をスライド溝３に嵌め込みながら戸パネル１を起立させ、ランナー台１２を一方の保持ケース１３に差し込み装着する。このとき、ロック体４７はロックばね４９の押し下げ力に抗しながらガイド面４１に沿って嵌合リブ４０の上面に乗りあがり、図８に示すようにロック溝４２に落とし込み係合する。
【００３１】
同様にして他方の保持ケース１３にランナー台１２を差し込み装着することにより、戸パネル１の吊り込みを完了できる。ランナー台１２を保持ケース１３に装着した状態では、図８に示すように、嵌合リブ４０と嵌合溝２７とが嵌合しあうので、ランナー台１２が上下方向へがた付くのを確実に防止できる。
【００３２】
ランナー台１２を戸パネル１から分離するときは、図６に想像線で示すように解除レバー４８の操作腕５１を横側方へ傾動させ、さらに図７に示すように操作腕５１を横倒し状に傾動させて、ロック体４７を逃げ溝２４の上端に位置させる。この状態のロック体４７は、ロック溝４２との係合を解除しており、したがって、操作腕５１を引っ張り操作することにより、図１に示すようにランナー台１２を保持ケース１３から抜き外すことができる。操作腕５１をロック解除姿勢に傾動させた状態では、平坦なばね座５４がロックばね４９で押し付けられるので、解除レバー４８が待機姿勢に復帰することはなく、ロック解除姿勢を維持し続けることができる。なお、解除レバー４８は、図３に想像線で示すように、単に上方スライド操作するだけで、ロック体４７をロック解除できる。ただし、操作力を開放すると再びロック状態に戻る。
【００３３】
上記の実施例では、引戸用のランナー４について説明したが、本発明のランナー４は折戸にも適用できる。その場合には、吊軸１１を丸軸で形成して、軸受ブロック１６と吊軸１１とが相対回転できるようにする。解除レバー４８はその操作腕５１が下向きになる状態で配置することができる。
【図面の簡単な説明】
【００３４】
【図１】ランナー台の分離途中状態を示す縦断正面図である。
【図２】引戸の正面図である。
【図３】戸パネルの吊り込み状態を示す一部破断正面図である。
【図４】ランナー台と保持ケースの分解斜視図である。
【図５】ランナーの縦断側面図である。
【図６】待機状態の解除レバーを示す縦断正面図である。
【図７】ロック解除状態の解除レバーを示す縦断正面図である。
【図８】ロック状態のロック機構を示す縦断正面図である。
【符号の説明】
【００３５】
１  戸パネル
２  ガイドレール
１０  ランナー本体
１１  吊軸
１２  ランナー台
２５  逃げ溝
２７  嵌合溝
４０  嵌合リブ
４１  ガイド面
４２  ロック溝
４７  ロック体
４８  解除レバー
４９  ロックばね
５１  操作腕
５２  基部
５３  ばね座
【図１】
2006169720.tif 000003
【図２】
2006169720.tif 000004
【図３】
2006169720.tif 000005
【図４】
2006169720.tif 000006
【図５】
2006169720.tif 000007
【図６】
2006169720.tif 000008
【図７】
2006169720.tif 000009
【図８】
2006169720.tif 000010